(57)【要約】【課題】分岐管接続部の径が大きくなっても、容易に分岐継手を管にしっかりと固定することができる分岐継手固定治具を提供する。【解決手段】一方の係止部３の締め付けねじ３７を締め込むことによって、係止バー３１を側枠３５に設けられたガイド３５ａによってサドル部７２の端部７３に対して略垂直方向に移動するように案内するとともに、側枠３５の分岐継手７側の壁面が、その中間部から締め付けねじ支持シャフト３６側にかけて分岐管接続部７１から離れる方向に傾斜させ、分岐管接続部７１が締め付けねじ３７の操作ハンドル３７ｂの操作の邪魔にならないようにした。【選択図】      図４
2004308686.tif 000002
【特許請求の範囲】
【請求項１】
接続しようとする管の外壁に沿うサドル部と、このサドル部から立ち上がるように設けられた分岐管接続部とを有する分岐継手が、サドル部を接続しようとする管の取り付け位置に配置された状態のとき、サドル部の管の軸に直交する方向の両端部に係止される２つの係止部と、
２つの係止部を連結するとともに、サドル部との間で管を抱き込むように配置される連結部とを有する分岐継手固定治具において、
少なくとも一方の係止部が、サドル部の端部に当接する係止部本体を有する係止バーと、
係止バーをその軸方向から挟むように配置され、係止バーの端部がそれぞれ嵌まり込み、係止バーをサドル部に対して離接する方向に案内する溝状またはレール状をしたガイドを備える２つの側枠と、
両側枠の間で係止バーに対して平行に、かつ、その軸を中心にして回転自在に支持されているとともに、軸に交差する方向に貫通するねじ孔を有する締め付けねじ支持シャフトと、
この締め付けねじ支持シャフトのねじ孔に貫通状態で螺合し、一端が係止バーに回転自在に枢支され、他端に操作ハンドルを備えた締め付けねじとを備え、
前記側枠の分岐継手側の壁面が、その中間部から締め付けねじ支持シャフト側にかけて分岐管接続部から離れる方向に傾斜または湾曲していて、
ガイドが側枠の中間部から係止バー側に向かってサドル部の端部に対して略垂直に設けられていることを特徴とする分岐継手固定治具。
【請求項２】
連結部が、可撓性線条体で形成されているとともに、係止部に着脱自在になっている請求項１に記載の分岐継手固定治具。
【発明の詳細な説明】
【０００１】
【発明の属する技術分野】
本発明は、分岐継手固定治具に関する。
【０００２】
【従来の技術】
ポリエチレン管において、管の側面に分岐管を接続する場合、接続しようとする管の外壁に沿うサドル部と、このサドル部から立ち上がるように設けられた分岐管接続部とを有する電気融着タイプの分岐継手（たとえば、特許文献１参照）が用いられる場合がある。
すなわち、この分岐継手は、管の分岐継手を接続する部分に孔を穿設し、分岐継手をこの孔を臨む部分に分岐管接続部が一致するとともに、サドル部を管の周壁に密着した状態に配置したのち、ターミナルピンからサドル部の内部に埋設されたヒータ線に通電してヒータ線を発熱させてサドル部と管の接合面近傍を溶融させることによって、管に融着されるようになっている。
【０００３】
ところで、上記のような分岐継手は、融着が完了するまで、図５および図６に示すような分岐継手固定治具１００を用いて、管２００に仮固定されるようになっている。
すなわち、この分岐継手固定治具１００は、図５および図６に示すように、２つの係止部１１０，１２０と、この２つの係止部１１０，１２０を連結する連結部１３０とを備えている。
【０００４】
連結部１３０は、鋳物で形成されていて、図６に示すように、分岐継手３００のサドル部３１０との間で管２００を抱き込むように配置されるようになっていて、底部１４０と、この底部１４０の両側に軸１４１を介して回動自在な側枠部１５０，１６０とを備えている。
一方の側枠部１５０の端部には、バー状の係止部１１０が軸１４１と平行に設けられている。他方の係止部１２０は、他方の側枠部１６０の端部に設けられた軸１６２にその中間部が回動自在に枢支され、一端に係止バー１２１が軸１４１に平行に固定され、他端にハンドル１２２が設けられている。
【０００５】
そして、図６に示すように、まず、分岐継手３００を管２００の固定位置に設置した状態で、一方の係止部１１０を分岐継手３００のサドル部３１０の端部に係止させるとともに、サドル部３１０との間で管２００を抱き込むように配置させた状態にする。つぎに、ハンドル１２２を側方に倒した状態で、他方の係止部１２０の係止バー１２１をサドル部３１０の他方の端部に係止させ、最後にハンドル１２２を分岐継手３００の分岐管接続部３２０に沿うように引き起こすことによって分岐継手３００を管２００の周面に沿った状態に固定できるようになっている。
しかしながら、上記分岐継手固定治具１００の場合、分岐継手３００の分岐管接続部３２０の径が大きくなれば、分岐管接続部３２０が邪魔になり、ハンドル１２２をうまく引き起こせず、分岐継手３００の固定が不十分になる恐れがある。
【０００６】
【特許文献１】
特開２００２−２６７０８７号公報
【０００７】
【発明が解決しようとする課題】
本発明は、上記事情に鑑みて、分岐管接続部の径が大きくなっても、容易に分岐継手を管にしっかりと固定することができる分岐継手固定治具を提供することを目的としている。
【０００８】
【課題を解決するための手段】
上記目的を達成するために、本発明の請求項１に記載の分岐継手固定治具（以下、「請求項１の固定治具」と記す）は、接続しようとする管の外壁に沿うサドル部と、このサドル部から立ち上がるように設けられた分岐管接続部とを有する分岐継手が、サドル部を接続しようとする管の取り付け位置に配置された状態のとき、サドル部の管の軸に直交する方向の両端部に係止される２つの係止部と、２つの係止部を連結するとともに、サドル部との間で管を抱き込むように配置される連結部とを有する分岐継手固定治具において、少なくとも一方の係止部が、サドル部の端部に当接する係止部本体を有する係止バーと、係止バーをその軸方向から挟むように配置され、係止バーの端部がそれぞれ嵌まり込み、係止バーをサドル部に対して離接する方向に案内する溝状またはレール状をしたガイドを備える２つの側枠と、両側枠の間で係止バーに対して平行に、かつ、その軸を中心にして回転自在に支持されているとともに、軸に交差する方向に貫通するねじ孔を有する締め付けねじ支持シャフトと、この締め付けねじ支持シャフトのねじ孔に貫通状態で螺合し、一端が係止バーに回転自在に枢支され、他端に操作ハンドルを備えた締め付けねじとを備え、前記側枠の分岐継手側の壁面が、その中間部から締め付けねじ支持シャフト側にかけて分岐管接続部から離れる方向に傾斜または湾曲していて、ガイドが側枠の中間部から係止バー側に向かってサドル部の端部に対して略垂直に設けられていることを特徴としている。
【０００９】
本発明の請求項２に記載の分岐継手固定治具（以下、「請求項１の固定治具」と記す）は、請求項１の固定治具において、連結部が、可撓性線条体で形成されているとともに、係止部に着脱自在になっていることを特徴としている。
【００１０】
本発明において、可撓性線条体とは、特に限定されないが、たとえば、チェーン、鎖、ワイヤーロープ等が挙げられる。
【００１１】
【発明の実施の形態】
以下に、本発明を、その実施の形態をあらわす図面を参照しつつ詳しく説明する。
図１〜図４は、本発明にかかる分岐継手固定治具の１つの実施の形態をあらわしている。
【００１２】
図１〜図２に示すように、この分岐継手固定治具（以下、「固定治具」とのみ記す）１は、第１の係止部２と、第２の係止部３と、連結部となるチェーン４とを備えている。
第１の係止部２は、係止バー２１と、枠部２２とを備えている。
【００１３】
係止バー２１は、中央部に他の部分より大径で、固定される分岐継手の予想されるサドル部の幅より少し長さの長い係止部本体２１ａを備えている。
係止部本体２１ａは、表面に滑り止めのためのローレット加工が施され、中心位置にセンターラインとなる溝２１ｂが穿設されている。
【００１４】
枠部２２は、チェーン取り付け部２３と２つの側枠２４とを備えている。
チェーン取り付け部２３は、係止バー２１と略同じ長さをしていて、その中央に突部２３ａが設けられ、この突部２３ａに後述するチェーン４のリンクピン５の挿通孔（図示せず）が穿設されている。
【００１５】
両側枠２４は、その一端部が係止バー２１の一端に固定され、他端部がチェーン取り付け部２３の一端に固定され、係止バー２１とチェーン取り付け部２３との間隔を、固定しようとする分岐継手のサドル部の端部が入り込む間隔に保持している。
【００１６】
第２の係止部３は、図１〜図４に示すように、係止バー３１と、枠部３２とを備えている。
係止バー３１は、バー本体３３と、後述する締め付けねじ３７の枢支部３４とを備えている。
【００１７】
バー本体３３は、図３に示すように、両端に後述するガイド３５ａに嵌まり込む摺動ピン３３ａを有し、中央部に半円柱状をした枢支部３４の軸受け部３３ｂが設けられ、軸受け部３３ｂと反対側の面に、スベリ止め溝３３ｃが設けられた係止面３３ｄを備えている。
枢支部３４は、枢支部本体３４ａと、軸受け部３３ｂに嵌合し、枢支部本体３４ａを軸受け部３３ｂを中心に回動自在に支持する嵌合凹部３４ｂとを備えている。
【００１８】
枠部３２は、２つの側枠３５と、締め付けねじ支持シャフト３６と、締め付けねじ３７と、チェーン取り付け部３８とを備え、２つの側枠３５が平行に配置され、締め付けねじ支持シャフト３６およびチェーン取り付け部３８が２つの側枠３５の間に配置されて、矩形の枠状になっている。
すなわち、２つの側枠３５は、長手方向の一方の端縁が中間部で他方の端縁方向に折れ曲がる略ブーメラン形状をした金属製の板材で形成されていて、中間部から折れ曲がり側の端縁に平行に溝状のガイド３５ａが穿設されている。
【００１９】
そして、このガイド３５ａに前述するようにバー本体３３の摺動ピン３３ａが摺動自在に嵌まり込み、係止バー３１が枠部３２内でガイド３５ａに案内されてスライドするようになっている。
締め付けねじ支持シャフト３６は、対面して設けられた２つの側枠３５の一端部に軸中心に回転自在に支持されているとともに、図４に示すように、その長手方向中央に軸に直交するように穿設されたねじ孔３６ａを備えている。
【００２０】
締め付けねじ３７は、ねじ本体３７ａと操作ハンドル３７ｂとを備え、ねじ本体３７ａが締め付けねじ支持シャフト３６のねじ孔３６ａに貫通状態で螺合され、その一端が枢支部本体３４ａに軸中心に回転自在に遊嵌され、ねじ本体３７ａの他端に操作ハンドル３７ｂが固定されている。すなわち、操作ハンドル３７ｂを回すことによってねじ本体３７ａが進退し、係止バー３１がねじ本体３７ａの進退によってガイド３５ａに沿って移動するようになっている。
チェーン取り付け部３８は、対面して設けられた２つの側枠３５の他端部に支持されていて、係止バー３１と反対側中央に突部３８ａが設けられ、この突部３８ａに後述するチェーン４のリンクピン５の挿通孔（図示せず）が穿設されている。
【００２１】
チェーン４は、両端に突部２３ａ，３８ａが間に遊嵌されるような間隔に配置されて２枚のリンクプレート４１をそれぞれ備え、リンクプレート４１が、突部２３ａ，３８ａの挿通孔に対応する部分にリンクピン５の挿通孔（図示せず）を備えている。
すなわち、チェーン４は、端部のリンクプレート４１とリンクプレート４１との間に突部２３ａ，３８ａを遊嵌させ、リンクピン５を一方のリンクプレート４１の挿通孔および突部２３ａ（３８ａ）の挿通孔を介して他方のリンクプレート４１の挿通孔まで挿通させることによって、その端部が着脱自在にチェーン取り付け部２３（３８）に枢支されるようになっている。
【００２２】
また、枢支部本体３４は、側枠３５の折れ曲がり側と反対側の面に「外」の文字が刻印されているとともに、突起３４ｃが突設されている。
【００２３】
この固定治具１は、以上のようになっており、次のようにして図４に示すように、分岐継手７を接続しようとする管６の取り付け位置に固定できるようになっている。
すなわち、まず、管６の径に応じた長さのチェーン４を選択し、その一端をリンクピン５によって第１の係止部２のチェーン取り付け部２３ａに枢支し、他端をリンクピン５によって第２の係止部３のチェーン取り付け部３８ａに枢支する。
【００２４】
そして、管６の取り付け位置にサドル部７２が受けられるように分岐継手７を配置したのち、第１の係止部２の係止バー２１をサドル部７２の管６の軸直交する方向の一方の端部７３に係止させ、チェーン４をサドル部７２との間に管６を抱き込むように配置するとともに、第２の係止部３の係止バー３１のバー本体３３をサドル部７２の管６の軸直交する方向の他方の端部７３に下方から受けさせる。また、このとき、第２の係止部３は、突起３４ｃが管６と反対側を向く、すなわち外側を向くように配置しておく。
その後、操作ハンドル３７ｂを回し、ねじ本体３７ａを係止バー３１方向にねじ込み、係止バー３１をサドル部３２の端部７３に圧接させる。
【００２５】
すなわち、ねじ本体３７ａをねじ込んで行くと、チェーン４が第２の係止部３側に引きつけられ、それに伴って第１の係止部２の係止バー２１が、チェーン４によってチェーン４側に引きつけられ、結果として係止バー３１が、サドル部７２の一方の端部７３に圧接される。したがって、係止バー２１および係止バー３１のよってサドル部７２が管６の外壁面に圧接される。したがって、分岐継手７が管６の取り付け位置にしっかりと固定される。
【００２６】
この固定治具１は、以上のように、第２係止部３の側枠３５が、略ブーメラン形をしていて、分岐継手７側の壁面が中間部から締め付けねじ支持シャフト３６側にかけて分岐管接続部７１から離れる方向に傾斜しているので、第２の係止部３を突起３４ｃを外側に向けて配置させれば、操作ハンドル３７ｂが分岐管接続部７１から離れた位置に配置される。したがって、分岐管接続部７１の大きな径の分岐継手の場合であっても、分岐管接続部７１が操作ハンドル３７ｂの操作の邪魔になったりすることがない。したがって、分岐管接続部７１の径が大きくなっても、容易に分岐継手７を管６にしっかりと固定することができる。
また、連結部が可撓性を有するチェーン４で形成されているので、締め付けねじ３７を締め込んで行くと、チェーン４が管６の壁面に沿うように変形する。したがって、分岐継手７をよりしっかりと固定することができる。
【００２７】
さらに、カイド３５ａが側枠３５の中間部から端縁に平行に設けられ、常にサドル部７２の端部に対して略垂直状態になるので、締め付けねじ３７を斜め方向からねじ込んでも係止バー３１のバー本体３３がサドル部７２の端部７３を常に垂直方向から押す。したがって、常にしっかりとした固定状態を得ることができる。
また、枢支部本体３４ａに突起３４ｃが突設されているとともに、「外」の文字が刻印されているので、取り付け方向をまちがったりすることを防止でき、作業をスムーズに行うことができる。
【００２８】
さらに、チェーン４が第１および第２の係止部２，３に着脱自在になっているので、長さの異なるチェーンを複数用意しておけば、チェーン４のみを交換するだけで１台の固定治具によって径の異なる管へ分岐継手の固定も行える。
【００２９】
本発明にかかる分岐継手固定治具は、上記の実施の形態に限定されない。たとえば、上記の実施の形態では、第１の係止部は係止バーが枠部に固定されていたが、第１の係止部も第２の係止部と同様の構造としても構わない。
上記の実施の形態では、連結部が可撓性を有するチェーンで形成されていたが、図５の固定治具１００のように可撓性がほとんどないようなものでも構わない。
上記の実施の形態では、枢支部本体に、「外」の文字が刻印されていたが、無くても構わない。また、枢支部本体の分岐継手側の面に「内」や「ＩＮ」の文字を刻印するようにしても構わない。
【００３０】
【発明の効果】
本発明にかかる分岐継手固定治具は、以上のように構成されているので、分岐管接続部の径が大きくなっても、容易に分岐継手を管にしっかりと固定することができる。
また、請求項２の固定治具のようにすれば、連結部が管の壁面に沿うように変形するので、よりしっかりと管に固定することができる。
【図面の簡単な説明】
【図１】本発明にかかる分岐継手固定治具の１つの実施の形態をあらわす平面図である。
【図２】図１の分岐継手固定治具の分解状態の平面図である。
【図３】図１の分岐継手固定治具の第２の係止部をあらわす斜視図である。
【図４】図１の分岐継手固定治具の使用状態を説明する断面図である。
【図５】従来の分岐継手固定治具の斜視図である。
【図６】図５の分岐継手固定治具の使用状態を説明する斜視図である。
【符号の説明】
１  分岐継手固定治具
２  第１の係止部
２１  係止バー
３  第２の係止部
３１  係止バー
３３  バー本体
３３ａ  摺動ピン
３５  側枠
３５ａ  ガイド
３６  締め付けねじ支持シャフト
３６ａ  ねじ孔
３７  締め付けねじ
３７ａ  ねじ本体
３７ｂ  操作ハンドル
４  チェーン（連結部）
６  管
７  分岐継手
７１  分岐管接続部
７２  サドル部
７３  端部（サドル部７２の端部）
【図１】
2004308686.tif 000003
【図２】
2004308686.tif 000004
【図３】
2004308686.tif 000005
【図４】
2004308686.tif 000006
【図５】
2004308686.tif 000007
【図６】
2004308686.tif 000008